(57)【要約】【課題】  本発明は、ドアとドア取付用パネル間に指を挟んでけがをすることがなく、意匠的にも優れた個用ブースドアの吊元構造を提供する。【解決手段】  本発明の個用ブースドアの吊元構造は、ドア１を閉めた時に、ドア１の取付側辺縁部４と板状パネル２のドア取付側辺縁部５とが、間隔６を空けて対向状に重なり合う構造であり、また、ドア１を閉めた時に、ドア１の取付側辺縁部４とパネル２のドア取付側辺縁部５に生じる間隔６は、人の指を詰めることがない間隔に形成される。また、ドアの板状本体８の面ａと、ドア１の取付側辺縁部４における吊元部の回転用部材取付面ｂとが、異なる面をなしており、ドア１を閉めた時に、ドアの板状本体とドア取付側辺縁部を有する板状パネルとが、略同一線上にあるのが好ましい。【選択図】  図１
2007063856.tif 000002
【特許請求の範囲】
【請求項１】
個用ブースドアの吊元構造であって、ドアを閉めた時に、ドアの取付側辺縁部と板状のパネルのドア取付側辺縁部とが、間隔を空けて対向状に重なり合うことを特徴とする個用ブースドアの吊元構造。
【請求項２】
ドアを閉めた時に、ドアの取付側辺縁部とパネルのドア取付側辺縁部に生じる間隔は、人の指を詰めることがない間隔である請求項１に記載の個用ブースドアの吊元構造。
【請求項３】
ドアの板状本体の面と、ドアの取付側辺縁部における吊元部の回転用部材取付面とが、異なる面をなす請求項１または２に記載の個用ブースドアの吊元構造。
【請求項４】
ドアを閉めた時に、ドアの板状本体とドア取付側辺縁部を有するパネルとが、略同一線上にある請求項１ないし請求項３に記載の個用ブースドアの吊元構造。
【発明の詳細な説明】
【技術分野】
【０００１】
本発明は、トイレブース、シャワーブース等の各種ブース（以下、個用ブースという。）用ドアの吊元構造に関する。
【背景技術】
【０００２】
従来、例えば、駅舎、病院、ホテル等の公共・商業施設等に設置されたトイレブースに使用されるドアの代表的な吊元構造の一例を、図４に示す。
このドアの吊元構造は、図に示すように、ドア２１とドア取付け用の板状パネル２２とがヒンジ２３で回動自在に連結され、ドア２１を開けた時に、ドア２１とパネル２２のドア取付面との間に間隙２６が形成される構造であって、ドア２１は矢印方向に動いて開閉できるようになっている。
【０００３】
このドアの吊元構造では、ドア２１を閉じたとき、ドア２１の取付側先端部とパネルのドア取付部との間で、外側（図４で、下側）から内部を見通すことができないように、図示破線で示すドア２１の取付側先端部とこれに対向するパネル２２の先端部が、互いに交差状になっているのが通常であり、しかもこれらの先端部は、通常、硬質材料で作られている。
【発明の開示】
【発明が解決しようとする課題】
【０００４】
このような、ドアを開いた状態で、ドア２１とドアの取付けパネル２２のドア取付部との間に間隙２６ができる開閉構造では、ドア２１の開閉時に、ドア２１の取付側辺縁部とパネル２２に生じる間隙２６'に指を挟んで、けがをするという問題があった。
特に、幼児連れの保護者が用を足す際に、保護者にまつわり付く幼児が、ドアの外側に待機させられるのを嫌がってドアに手を掛けることが多々あり、その状態を知らずに、保護者がドアを閉めて、指を詰めてしまう等の事故の発生が見られた。
【０００５】
このような不測の事態を防止するため、図５に示すような、ドアの吊元構造が提案されている。
この吊元構造では、ドア３１の開閉時に、ドア３１とドアの取付けパネル３２間に生じる隙間を最小限にするため、ヒンジ３３を用いて、ドア３１をパネル３２の個用ブースの内側３７に、パネル３２と平行に取付けている。
【０００６】
しかし、このドアの吊元構造においても、ドア３１を閉めた際に、ドア３１とパネル３２の間に生じるわずかな隙間３６に、幼児が手を挟むおそれがあるため、指詰め防止の完全性は、充分とは言えなかった。
また、上記ドア３１の吊元構造を用いた個用ブースを同方向に連設すると、ドア部とパネル部に生じる段差が、交互に凹凸をなす連設面となるため、看者に雑多な印象を与えて見栄えが悪いという問題があった。
なお、図中の符号３４は、ドア３１を施錠するための遮断機状の棒状ロック部材である。
【０００７】
本発明は、上記の問題に鑑み、ドアとパネルとの間に指を挟んで詰めることがなく、ドアを閉じた際、ドアとパネルの面を同一面にして、個用ブースを連設してもスッキリとした見栄えのよい個用ブースを建設できる、個用ブースドアの吊元構造を提供することを課題とする。
【課題を解決するための手段】
【０００８】
本発明の個用ブースドアの吊元構造は、ドアを閉めた時に、ドアの取付側辺縁部と板状のパネルのドア取付側辺縁部とが、間隔を空けて対向状に重なり合う構造であり、また、ドアを閉めた時に、ドアの取付側辺縁部とパネルのドア取付側辺縁部に生じる前記間隔は、人の指を詰めることがない間隔であることを特徴とする。
【０００９】
さらに、本発明の個用ブースドアの吊元構造は、ドアの板状本体の面と、ドアの取付側辺縁部における吊元部の回転用部材取付面とが、異なる面をなしており、さらにまた、ドアを閉めた時に、ドアの板状本体とドア取付側辺縁部を有する板状パネルとが、略同一線上にあるのが好ましい。
【発明の効果】
【００１０】
本発明によれば、ドアの開閉時に、ドアとパネルの隙間に指を挟んでけがをすることがなくなり、また、意匠的にも優れた個用ブースドアの吊元構造を提供することができる。
【発明を実施するための最良の形態】
【００１１】
次に、図面を用いて本発明を詳細に説明する。
図１は、個用ブースに適用した本発明に係るドアの吊元構造の一例を示す模式的な部分拡大平面図であり、図２は、本発明に係るドアの吊元構造の、他の例を示す部分省略平面図であり、図３は、本発明に係るドアの吊元構造を、例えばトイレに適用した個用ブースの部分斜視図である。
【００１２】
以下、個用ブースをトイレブースとした例で説明する。
図１に示すように、本発明の個用ブースドアの吊元構造が施されたトイレブースは、ドア１とドア取付用の板状のパネル２からなり、ドア１とパネル２は、それぞれ、上方側と下方側の２箇所、または中央部を含めて３箇所で固定されたヒンジ３で回動自在に連結され、ドア１を閉めた際に、ドア１の取付側辺縁部４と板状パネル２のドア取付側辺縁部５とが、間隔６を空けて対向状に重なり合う構成である。
【００１３】
ドア１は、通常、図に示すように、ドア１の取付側辺縁部４が、板状パネル２のドア取付側辺縁部５のブース内側７に位置するように、ヒンジ３によってパネル２に取付けられた、内開きドアとなっている。
また、ドア１を閉めた際のドア１の取付側辺縁部４とパネル２のドア取付側辺縁部５との間隔６は、人の指を挟んで詰めることのない間隔に形成されている。
このような間隔としては、人の指の厚みよりも大きい、１０ｍｍ〜５０ｍｍ、特には、１５ｍｍ〜３０ｍｍが好ましい。５０mmよりも大きいと、ドアの外側から個用ブース内のコーナ部を見通せてしまうので、個用ブース内のプライバシーが保てなくなり、かつ使用するヒンジが大型化して不経済である。
【００１４】
本発明に係るドア１は、図２に示すように、ドア１の取付側辺縁部４が、板状パネル２のドア取付側辺縁部５のブース内側７に位置し、ドア１を閉めた時、ドア１の板状本体８は、板状パネル２と略同一線上に位置している。
すなわち、本発明に係るドア１は、ドア１の板状本体８の面ａと、ドア１の取付側辺縁部４における吊元部の回転用部材たるヒンジ３の取付面ｂとが、異なる面を形成している。
【００１５】
ドア１の板状本体８の面ａと、ドア１の取付側辺縁部４における吊元部のヒンジ３の取付面ｂとを結ぶ面ｃは、図２に示したように湾曲状であってもよく、また直線状であってもよいが、ドア１を閉める際に、ドア１の取付側辺縁部４とパネル２のドア取付側辺縁部５との間隔６が、指を挟んでもけがをさせない程度の前記した間隔に形成されていれば、どのような形状に成形することもできる。
【００１６】
本発明に係るドア１は、その取付側辺縁部４が、前記した通り、パネル２のドア取付側辺縁部５と、間隔６を空けて対向状に重なり合うように形成され、ドアの板状本体８とは異なる面を有するが、図２に示すように、このドア１の板状本体８を挟んで取付側辺縁部４と対称にある辺縁部９は、パネル２'の辺縁部１０と組合せて、ドア１をパネル２'に係止でき、かつ、ブース内を見通すことのできない辺縁形状に形成するのが好ましい。
また、ドア１の辺縁部９は、図３に示すように、ドア１の取付側辺縁部４と対称となる形状に形成することもできる。
【００１７】
本発明の個用ブースドアの吊元構造では、ドア１の取付側辺縁部４が、パネル２のドア取付側辺縁部５と指を挟まない程度の間隔６をあけて対向状に重なり合っているため、例え、指を上記間隔６に入れたたまま、ドアを回転させて閉じても、けがをすることがなく安全性が充分に確保される。
また、上記間隔６は、ドア１の取付側辺縁部４とパネル２のドア取付側辺縁部５が対向状に重なりあう部位にあるため、ドアを閉めた状態で、ドアの外側よりドアの内側を見通すことができず、個用ブース内のプライバシーが守られる。
【００１８】
さらに、ドア１の面積の大部分を占める板状本体８が、ドア１を閉めた状態で、板状パネル２と略同一面上にあるため、連設した個用ブースであっても、ドア部１とパネル部２が同一面上にあって、連続した凹凸面になることがないため、見た目にもスッキリして、従来の指詰め防止機能のない個用ブースと同様の意匠感を保持させることができる。なお、図では吊元部の回転用部材として、蝶番状のヒンジを図示したが、中心軸吊型ヒンジとしてもよい。
【産業上の利用可能性】
【００１９】
本発明の個用ブースドアの吊元構造は、トイレブース等の個用ブースに限らず、指詰め事故を起こす可能性のあるあらゆる種類のドアの開閉構造に利用できる。
【図面の簡単な説明】
【００２０】
【図１】個用ブースに適用した本発明に係るドアの吊元構造の一例を示す模式的な部分拡大平面図である。
【図２】本発明に係るドアの吊元構造の、他の例を示す部分省略平面図である。
【図３】本発明に係るドアの吊元構造をトイレに適用した個用ブースの部分斜視図である。
【図４】従来の個用ブースに使用される、ドアの吊元構造の代表例を示す模式的な平面図である。
【図５】従来の個用ブースに使用されるドアの吊元構造の、他の例を示す模式的な平面図である。
【符号の説明】
【００２１】
１、２１、３１  ドア
２、２'、２２、３２  パネル
３、２３、３３  ヒンジ
４  ドアの取付側辺縁部
５  パネルのドア取付側辺縁部
６、２６、２６'、３６  ドアとパネルとの間隔
７  ブースの内側
８  ドアの板状本体
９  ドアの辺縁部
１０  パネルの辺縁部
３４  棒状ロック部材
ａ  ドアの板状本体の面
ｂ  ドアの取付側辺縁部における吊元部のヒンジの取付面
ｃ  ドアの板状本体の面とドアの取付側辺縁部の面を結ぶ面
【図１】
2007063856.tif 000003
【図２】
2007063856.tif 000004
【図３】
2007063856.tif 000005
【図４】
2007063856.tif 000006
【図５】
2007063856.tif 000007